(57)【要約】【課題】画像読取モードおよび複写モードとして動作可能な画像処理装置において、複写モードで行なう読み取った画像データを保存する処理の操作性を向上させる。【解決手段】画像読取手段と印刷手段とを備え、情報処理装置と接続される画像処理装置であって、画像読取手段で読み取った画像データを情報処理装置で取り扱い可能な画像フォーマットに変換して保存する画像読取モード、および、画像読取手段で読み取った画像データを印刷手段で印刷可能な印刷用フォーマットに変換して保存する複写モードとしての動作が可能なジョブ処理手段と、画像読取モードが選択されると、保存形式として、情報処理装置で取り扱い可能なフォーマットとするか、印刷手段で印刷可能なフォーマットとするかの選択をユーザに促し、前者の選択をユーザから受け付けると、ジョブ処理手段を複写モードとして動作させる動作モード選択受付手段とを備える。【選択図】  図２
2010093457.tif 000002
【特許請求の範囲】
【請求項１】
画像読取手段と印刷手段とを備え、情報処理装置と接続される画像処理装置であって、
前記画像読取手段で読み取った画像データを前記情報処理装置で取り扱い可能な画像フォーマットに変換して保存する画像読取モードとしての動作、および、前記画像読取手段で読み取った画像データを前記印刷手段で印刷可能な印刷用フォーマットに変換して保存する複写モードとしての動作が可能なジョブ処理手段と、
画像読取モードおよび複写モードを含む動作モードの選択をユーザから受け付ける動作モード選択受付手段と、を備え、
前記動作モード選択受付手段は、動作モードとして、前記画像読取モードの選択を受け付けると、保存形式として、情報処理装置で取り扱い可能なファイルフォーマットとするか、前記印刷手段で印刷可能な印刷用フォーマットとするかの保存形式選択をユーザに促し、
前記情報処理装置で取り扱い可能なファイルフォーマットの選択をユーザから受け付けると、前記ジョブ処理手段を前記複写モードとして動作させることを特徴とする画像処理装置。
【請求項２】
請求項１に記載の画像処理装置であって、
前記ジョブ処理手段は、前記画像読取モードとして動作する場合には、ＲＧＢ形式の色表現を用い、前記複写モードとして動作する場合には、ＣＭＹＫ形式の色表現を用いて保存を行なうことを特徴とする画像処理装置。
【請求項３】
請求項１または２に記載の画像処理装置であって、
前記動作モード選択受付手段は、前記保存形式選択をユーザに促さないように設定可能であることを特徴とする画像処理装置。
【発明の詳細な説明】
【技術分野】
【０００１】
本発明は、画像処理装置に係り、特に、画像読取機構と印刷機構とを備え、画像読取モード、複写モードのいずれかを含む複数モードとして動作可能な画像処理装置に関する。
【背景技術】
【０００２】
特許文献１に記載されているように、画像読取機構で読み取った画像データを所定の記憶領域に保存する画像処理装置が知られている。画像読取機構で読み取った画像データを保存する際には、ＰＣ等の情報処理装置で取り扱えるようなフォーマットで保存する場合と、印刷機構でそのまま印刷できるような印刷用フォーマットで保存する場合とがある。
【０００３】
情報処理装置で取り扱えるようなフォーマットは、ＰＤＦ（商標）、ＪＰＥＧ、ＧＩＦＦ等が代表的に用いられている。一方、印刷用フォーマットは印刷機構の処理部に依存するため、汎用的に取り扱うことはできない。
【特許文献１】特開２００７−２８８６２１号公報
【発明の開示】
【発明が解決しようとする課題】
【０００４】
ところで、画像処理装置における画像読取機構を用いた動作として、画像読取処理（スキャン処理）と複写処理(コピー処理）とがある。一般に、画像処理装置は、画像読取処理を行なう場合にはスキャナモードとして動作し、複写処理を行なう場合にはコピーモードとして動作する。これらの動作モードへは、ユーザからの指示にしたがって移行する。
【０００５】
スキャナモードにおける画像読取処理は、読み取った画像データをＰＣ等の情報処理装置で扱うことを目的とすることが多いため、ＰＣ等の情報処理装置で取り扱えるような画像フォーマットで保存することが望ましい。一方、コピーモードにおける複写処理は、読み取った画像データをそのまま印刷することが多いため、読み取った画像データを印刷用フォーマットに変換して取り扱うことが望ましい。
【０００６】
近年、読み取った原稿の画像データをボックスと呼ばれる保存領域に保存しておき、ボックスに保存した画像データを呼び出すことで原稿を再読取することなく複写印刷を行える機能を備えた画像処理装置が実用化されている。このような処理は基本的には複写処理であり、画像データをＰＣ等の情報処理装置で扱うことは想定されていないため、印刷用フォーマットで保存される。このため、コピーモードでの動作となる。
【０００７】
ところが、ユーザからしてみれば、読み取った画像データを保存することは画像読取処理と認識しやすいため、スキャナモードを指示しがちである。このような場合、目的とする処理を行なうことができずに、操作性が低下してしまう。
【０００８】
本発明は、このような状況を鑑みてなされたものであり、画像読取モードおよび複写モードとして動作可能な画像処理装置において、複写モードで行なう読み取った画像データを保存する処理の操作性を向上させることを目的とする。
【課題を解決するための手段】
【０００９】
上記課題を解決するため、本発明の画像処理装置は、画像読取手段と印刷手段とを備え、情報処理装置と接続される画像処理装置であって、前記画像読取手段で読み取った画像データを前記情報処理装置で取り扱い可能な画像フォーマットに変換して保存する画像読取モードとしての動作、および、前記画像読取手段で読み取った画像データを前記印刷手段で印刷可能な印刷用フォーマットに変換して保存する複写モードとしての動作が可能なジョブ処理手段と、画像読取モードおよび複写モードを含む動作モードの選択をユーザから受け付ける動作モード選択受付手段と、を備え、前記動作モード選択受付手段は、動作モードとして、前記画像読取モードの選択を受け付けると、保存形式として、情報処理装置で取り扱い可能なファイルフォーマットとするか、前記印刷手段で印刷可能な印刷用フォーマットとするかの保存形式選択をユーザに促し、前記情報処理装置で取り扱い可能なファイルフォーマットの選択をユーザから受け付けると、前記ジョブ処理手段を前記複写モードとして動作させることを特徴とする。
【００１０】
本発明によれば、印刷用フォーマットとしての保存は、複写モードとして指示すべき動作であるにも関わらず、ユーザが画像読取モードを選択してしまった場合であっても、ユーザは適切な処理を行なうことができるようになる。このため、画像読取モードおよび複写モードとして動作可能な画像処理装置において、複写モードで行なう読み取った画像データを保存する処理の操作性が向上する。
【００１１】
より具体的には、前記ジョブ処理手段は、前記画像読取モードとして動作する場合には、ＲＧＢ形式の色表現を用い、前記複写モードとして動作する場合には、ＣＭＹＫ形式の色表現を用いて保存を行なうことができる。
【００１２】
また、前記動作モード選択受付手段は、前記保存形式選択をユーザに促さないように設定可能であることが望ましい。ユーザがモードの指示を適切に行える場合には、保存形式選択は不要となるからである。
【発明の効果】
【００１３】
本発明によれば、画像読取モードおよび複写モードとして動作可能な画像処理装置において、複写モードで行なう読み取った画像データを保存する処理の操作性を向上させることができる。
【発明を実施するための最良の形態】
【００１４】
＜システム構成＞
本発明の実施の形態について図面を参照して説明する。本実施形態は、本発明に係る画像処理装置を印刷装置に適用した例である。図１は、本実施形態に係るネットワーク印刷システムの構成の一例を示す図である。本図に示すようにネットワーク印刷システムは、印刷装置１０と複数台のパーソナルコンピュータ（ＰＣ）２０ａ、２０ｂ、２０ｃ、２０ｄ…（以下ではＰＣ２０で代表させる）がコンピュータネットワーク７０に接続されて構成される。コンピュータネットワーク７０は代表的にはＬＡＮ（Local Area Network）とすることができる。ただし、本発明は、ネットワーク印刷システムに限られず、ＰＣ２０と印刷装置１０とがローカルに接続されたスタンドアロン型の印刷システム、印刷装置１０単体で構成された印刷システムにも適用することができる。
【００１５】
印刷装置１０は、いわゆる複合機であり、ＰＣ２０から送られた印刷データに基づく印刷を行なうプリンタ機能に加えて、原稿台に置かれた原稿の画像を読み取って複写印刷を行なうコピー機能および原稿台に置かれた原稿の画像を読み取ってＰＣ２０に出力するスキャナ機能を備えている。また、電話回線に接続して画像データの送受信を行なうファクシミリ機能をさらに備えさせるようにしてもよい。
【００１６】
図２は、本実施形態のネットワーク印刷システムにおける印刷装置１０とＰＣ２０の機能構成を示すブロック図である。本図に示すように印刷装置１０は、印刷実行部１１０、画像読取部１２０、画像処理部１３０、設定管理部１４０、ジョブ管理部１５０、操作パネル１６０、通信処理部１７０、ＩＣカードリーダ１８０を備えている。印刷装置１０における制御的な処理を行なう画像処理部１３０、設定管理部１４０、ジョブ管理部１５０は、例えば、印刷装置１０内に備えられたＣＰＵ、メモリ、画像処理装置、ハードディスク装置等によって機能モジュールとして構成することができる。
【００１７】
印刷実行部１１０は、画像形成媒体を用いて印刷用紙に画像形成することで印刷動作を行なう印刷機構を有している。本実施形態では、画像形成媒体としてインクを用い、印刷用紙を覆う幅を有する印字ヘッドからインクをライン単位で吐出して印刷を実行するインクジェット方式の印刷機構を採用しているものとする。ただし、シリアル型のインクジェット方式の印刷機構を採用したり、画像形成媒体としてトナーを用い、トナーを用紙に定着させることで印刷を行なう電子写真方式の印刷機構を採用したりしてもよい。また、印刷実行部１１０は、印刷用紙の給排紙機構および搬送機構を含んでいる。
【００１８】
画像読取部１２０は、原稿台、受光素子、光源、レンズ、走査機構等を備え、原稿台に置かれた原稿の画像データを読み取って電気信号に変換し画像処理部１３０に出力する。画像読取部１２０は、印刷装置１０の筐体内部に設置してもよいし、印刷装置１０の筐体外部に独立して設置してもよい。画像読取部１２０は、読み取ったＲＧＢ形式の画像データを、印刷に用いるＣＭＹＫ形式の画像データに変換する色変換処理部１２１を備えている。
【００１９】
画像処理部１３０は、ＰＣ２０から送られた印刷データあるいは画像読取部１２０が読み取った画像データに対する画像処理を行なう。画像処理部１３０が行なう画像処理は、例えば、印刷データの展開処理、画像データの色変換処理、二値化処理、中間調処理等である。また、画像読取部１２０が読み取った画像データをＰＣ２０で取り扱うことができるフォーマット、例えば、ＰＤＦ形式、ＪＰＥＧ形式、ＧＩＦＦ形式等に変換するフォーマット変換部１３１を備えている。
【００２０】
設定管理部１４０は、印刷装置１０に関する諸設定および印刷装置１０のユーザに関する諸設定を管理する機能部である。設定管理部１４０は、これらの設定を操作パネル１６０に表示する設定画面を介して受け付けることができる。また、設定画面をＷｅｂページとして出力し、後述するＰＣ２０のブラウザ部２３０を介して受け付けることができる。設定管理部１４０の詳細については後述する。
【００２１】
ジョブ管理部１５０は、印刷装置１０がユーザから受け付けたジョブの管理を行なう。ジョブには、印刷機能を使用した印刷ジョブ、スキャナ機能を使用した画像読取ジョブ、コピー機能を使用した複写ジョブ等が含まれる。ジョブの管理には、例えば、ジョブの実行順序の制御、エラー対処、ログ記録等が含まれる。ジョブ管理部１５０の詳細については後述する。
【００２２】
操作パネル１６０は、例えば、タッチパネル方式の表示装置を用いることができる。操作パネル１６０は、操作メニューや印刷装置１０の設定内容を表示したり、操作メニューを介してユーザから指示を受け付けたりする。
【００２３】
通信処理部１７０は、コンピュータネットワーク７０を介してＰＣ２０との通信を行なうために、接続形態に応じたプロトコル処理を行なう。例えば、ＬＡＮ接続の場合には、ＴＣＰ／ＩＰによる通信処理を行なう。
【００２４】
ＩＣカードリーダ１８０は、ＩＣカード４０に記録された情報を読み取る。本実施形態では、ＩＣカード４０に、ユーザ登録されたユーザの識別情報を記録しておき、ＩＣカードリーダ１８０でＩＣカード４０を読み取ることで、ユーザ認証を行えるようになっている。ただし、ユーザ認証に用いるユーザの識別情報を記録させる媒体はＩＣカード４０に限られない。例えば、ＵＳＢメモリ、ＲＦタグその他の記録媒体を用いることができる。この場合、印刷装置１０は記録媒体に対応した読取装置を用いるようにする。
【００２５】
図２に示すように、ＰＣ２０は、プリンタドライバ部２１０、スキャナドライバ部２２０、ブラウザ部２３０、通信処理部２４０を備えている。ＰＣ２０は、図示しないオペレーティングシステムによりユーザインタフェース、ファイル管理、ユーザ管理等の基本的な動作が規定される。一般に、オペレーティングシステムは、ログイン機能を備えており、そのＰＣ２０のユーザをログインＩＤ等によって特定できるようになっている。
【００２６】
プリンタドライバ部２１０は、印刷装置１０に対応して開発されたプリンタドライバプログラムをＰＣ２０のＣＰＵが実行することにより形成される。プリンタドライバ部２１０は、ユーザからの指示に基づいて、印刷対象となるドキュメント等に基づく印刷データを生成して、印刷装置１０に出力する処理を行なう。
【００２７】
スキャナドライバ部２２０は、印刷装置１０の画像読取部１２０に対応して開発されたスキャナドライバプログラムをＰＣ２０のＣＰＵが実行することにより形成される。スキャナドライバ部２２０は、ユーザからの指示に基づいて、印刷装置１０の画像読取部１２０が読み取った画像データを取得する処理等を行なう。
【００２８】
ブラウザ部２３０は、Ｗｅｂページを表示する機能を有しており、本実施形態では印刷装置１０の設定管理部１４０、ジョブ管理部１５０が提供する設定画面等を表示するとともに、設定画面上でユーザからの操作を受け付けて設定管理部１４０、ジョブ管理部１５０に出力する。
【００２９】
通信処理部２４０は、コンピュータネットワーク７０を介して印刷装置１０との通信を行なうために、接続形態に応じたプロトコル処理を行なう。例えば、ＬＡＮ接続の場合には、ＴＣＰ／ＩＰによる通信処理を行なう。
【００３０】
図３は、印刷装置１０の設定管理部１４０の主要な機能構成を示すブロック図である。本図に示すように設定管理部１４０は、印刷装置設定管理部１４１、設定テーブル１４２、ユーザ情報管理部１４３、ユーザ情報管理テーブル１４４、使用履歴管理テーブル１４５を備えている。
【００３１】
印刷装置設定管理部１４１は、装置設定管理手段として機能し、印刷装置１０に関する諸設定を管理者ユーザから受け付けて設定テーブル１４２に記録する。印刷装置に関する諸設定は、例えば、ＩＰアドレス等のネットワーク設定、オプション機能に関する設定等である。また、プリンタ機能、コピー機能、スキャナ機能ごとに、使用する際にログインが必要であるかログインせずに使用できるかの設定が含まれる。
【００３２】
印刷装置１０では、ユーザを、一般ユーザと管理者ユーザとに区分しており、印刷装置１０に関する諸設定は管理者ユーザのみが行えるようになっている。ただし、印刷装置１０では、管理者ユーザに、管理者としてのログインと、一般ユーザとしてのログインの２つのログイン状態が可能としている。管理者としてのログイン状態では、印刷装置１０に関する諸設定に加え、ユーザ情報の登録変更処理、ジョブ管理処理等が行えるのに対し、一般ユーザとしてのログイン状態では、プリンタ機能、コピー機能、スキャナ機能を使用した通常の処理のみが行える。
【００３３】
ユーザ情報管理部１４３は、印刷装置１０を使用するユーザに関する情報を、管理者としてのログインしている管理者ユーザから受け付けてユーザ情報管理テーブル１４４に記録するとともに、印刷装置１０のユーザ毎の使用状況に関する情報を使用履歴管理テーブル１４５に記録する。また、ユーザ情報管理部１４３は、ユーザ認証手段としても機能し、ログイン処理によるユーザ認証を行なう。
【００３４】
ユーザ情報管理テーブル１４４は、例えば、図４に示すように、ユーザ名１４４ａ、パスワード１４４ｂ、ＰＣログインＩＤ１４４ｃ、所属グループ１４４ｄ、管理者権限１４４ｅ、プリンタモード許可１４４ｆ、コピーモード許可１４４ｇ、スキャナモード許可１４４ｈをユーザごとに記録する。
【００３５】
ここで、パスワード１４４ｂは、印刷装置１０を操作するためにログインする際の認証情報である。ＰＣログインＩＤ１４４ｃは、ＰＣ２０を介して印刷装置１０にログインする際の認証情報であり、ＰＣ２０のオペレーティングシステムにログインした際のユーザ識別情報を用いることができる。所属グループ１４４ｄは、ユーザをグループ別に管理する場合のカテゴリである。ユーザ情報管理部１４３は、グループに関する情報を図示しない別テーブルで管理するようにしてもよい。管理者権限１４４ｅは、管理者ユーザであるか否かを示す情報である。管理者ユーザは１名に限られず、複数名設定することができる。
【００３６】
プリンタモード許可１４４ｆ、コピーモード許可１４４ｇ、スキャナモード許可１４４ｈは、それぞれ、プリンタ機能の使用、コピー機能の使用、スキャナ機能の使用の可否を示す情報である。すなわち、印刷装置１０は、ユーザごとにプリンタ機能の使用、コピー機能の使用、スキャナ機能の使用のそれぞれについて許可するか許可しないかを独立して設定することができるようになっている。さらに、印刷枚数制限、カラー印刷機能等の制限等の詳細な使用制限を設定できるようにしてもよい。
【００３７】
使用履歴管理テーブル１４５は、ユーザごとに印刷装置１０の使用履歴を記録する。使用履歴の内容は、例えば、所定の集計期間中におけるプリント回数累計、コピー回数累計、原稿読み取り回数累計等とすることができる。ただし、より詳細な使用履歴を記録するようにしてもよい。例えば、個々の使用毎に使用時刻、カラー／モノクロ別、ページ数、部数等を記録してもよい。
【００３８】
図５は、印刷装置１０のジョブ管理部１５０の主要な機能構成を示すブロック図である。本図に示すようにジョブ管理部１５０は、ジョブ受付部１５１、ジョブ処理部１５２、ログ情報管理部１５４を備えている。
【００３９】
ジョブ受付部１５１は、ユーザからジョブの受付を行なう。ジョブが新規印刷ジョブであればＰＣ２０から印刷データを受信することでジョブの受付を行ない、ジョブ内容が複写ジョブあるいは画像読取ジョブであれば操作パネル１６０を介してジョブの受付を行なう。この際に、印刷条件の設定等を受け付けることができる。また、印刷装置１０は、画像データを保存するボックス機能を有しており、保存された画像データの印刷ジョブであれば操作パネル１６０を介して印刷ジョブの受付を行なう。
【００４０】
ジョブ処理部１５２は、受け付けたジョブの実行を制御する。ジョブ処理部１５２は、プリンタモードとしての動作、コピーモードとしての動作、スキャナモードとしての動作を行なうことができる。このため、プリンタモード時の処理を行なうプリンタモード処理部１５５、コピーモード時の処理を行なうコピーモード処理部１５６、スキャナモード時の処理を行なうスキャナモード処理部１５７を備えている。
【００４１】
コピーモード処理部１５６は、画像読取部１２０が読み取った画像データを、ユーザの指示に基づいて、所定の保存先(ボックス）に保存する機能を備えている。ボックスに保存したデータを呼び出すことで、原稿を読み直さなくても複写印刷処理を再度行なうことができる。このため、コピーモード処理部１５６は、画像読取部１２０が読み取った画像データを印刷実行部１１０で印刷可能なＣＭＹＫ形式の印刷用フォーマットに変換して保存するボックス保存部１５６１を備えている。
【００４２】
スキャナモード処理部１５７は、画像読取部１２０が読み取った画像データをＰＣ２０で取り扱い可能なＲＧＢ形式のファイルフォーマットに変換して保存するＰＣ用データ保存部１５７１を備えている。
【００４３】
また、ジョブ受付部１５１は、動作モード選択受付手段として機能し、スキャナモードの選択を受け付けると、保存形式として、ＰＣ２０で取り扱い可能なファイルフォーマットであるか、印刷実行部１１０で印刷可能な印刷用フォーマットであるかの保存形式選択をユーザに促し、ＰＣ２０で取り扱い可能なファイルフォーマットの選択をユーザから受け付けると、ジョブ処理部１５２をコピーモードとして動作させる。
【００４４】
ログ情報管理部１５４は、履歴管理手段として機能し、印刷装置１０が実行したジョブに関するログを記録する。ログ情報管理部１５４は、ログを記憶するためのログ情報記録領域１５４１を備えている。ログ情報記録領域１５４１は、例えば、ハードディスク装置を用いて構成することができる。
【００４５】
ログ情報記録領域１５４１は、ジョブ内容に対応したログを記録することができる。ジョブ内容が印刷ジョブの場合は、例えば、図６に示すように、ジョブ名１５４１ａ、状況１５４１ｂ、オーナー名１５４１ｃ、印刷時間１５４１ｄ、総ページ数１５４１ｅ、部数１５４１ｆ、受信日時１５４１ｇを記録する。ジョブ内容が複写ジョブ、画像読取ジョブの場合は、それぞれに応じた項目を記録するようにする。
【００４６】
ここで、ジョブ名１５４１ａは、例えば、印刷対象のファイル名とすることができ、状況１５４１ｂは、例えば、終了時の状況に応じて、正常終了、中断終了、エラー終了等とすることができる。オーナー名１５４１ａは、ジョブを指示したユーザ名である。印刷装置１０は、ログイン処理によりユーザ名を特定することができる。なお、後述するようにログイン処理が不要な機能を用いたジョブについては、オーナー名を特定せずにログ情報を記録する。受信日時１５４１ｇは、印刷ジョブを受信した日時である。
＜ログイン処理＞
次に、上記構成の印刷装置１０におけるログイン処理について図７のフローチャートを参照して説明する。ここでは管理者ユーザにより数名のユーザ登録がすでになされているものとする。
【００４７】
まず、待機状態において、印刷装置１０は操作パネル１６０に図８に示すような待機画面５１０を表示する。なお、ＰＣ２０のブラウザ部２３０を用いて印刷装置１０にアクセスした場合もＰＣ２０の表示装置に同様の表示がなされる。
【００４８】
待機画面５１０には、ログインボタン５１１と、プリンタボタン５１２、コピーボタン５１３、スキャナボタン５１４が配置されている。プリンタボタン５１２、コピーボタン５１３、スキャナボタン５１４は、それぞれプリンタ機能、コピー機能、スキャナ機能を使用する際に選択するボタンである。
【００４９】
本例では、管理者ユーザが印刷装置設定管理部１４１でプリンタ機能、スキャナ機能を使用するためにはログインが必要であり、コピー機能の使用にログインが不要であるという設定を行なっているため、非ログイン状態ではプリンタ機能、スキャナ機能を選択するボタン５１２、５１４に錠マークが付され、使用できない旨が示されており、コピー機能を選択するボタン５１３は錠マークが付されずに、使用できる旨が示されている。
【００５０】
本画面でログインボタン５１１が押下されると（Ｓ１０１）、印刷装置１０は操作パネル１６０に図９に示すようなユーザ選択画面５２０を表示する（Ｓ１０２）。ユーザ選択画面５２０には、ユーザ情報管理テーブル１４４に登録されたユーザ名の一覧５２１が選択可能な状態で表示されており、ログインボタン５１１を押下したユーザは、自身のユーザ名が記されたボタンを押下することができる。
【００５１】
ユーザ名の選択を受け付けると、印刷装置１０は操作パネル１６０に図１０に示すようなパスワード入力画面５３０を表示する（Ｓ１０３）。パスワード入力画面５３０には、キーボタン群５３１が表示され、ログインボタン５１１を押下したユーザは、自身のパスワードを入力することができる。
【００５２】
パスワードの入力を受け付けた印刷装置１０は、ユーザ情報管理テーブル１４４に記録されたパスワード１４４ｂと入力されたパスワードとを照合させることで認証の可否を判断する（Ｓ１０４）。なお、パスワードの入力に代えて、ユーザの識別情報を記録したＩＣカード４０を用いて認証を行なうようにしてもよい。この場合は、ＩＣカード４０をＩＣカードリーダ１８０にかざすことでＩＣカード４０に記録された情報が読み取られ、認証を行なうことができる。また、ＰＣ２０のブラウザ部２３０でログインを行なう場合には、ＰＣ２０のログインＩＤを、オペレーティングシステムを介して取得すること等で認証を行なうようにしてもよい。これらの場合には、パスワードの入力は不要となる。
【００５３】
パスワードが不一致で認証不可の場合には（Ｓ１０４：Ｎｏ）、再度パスワードの入力を促すようにする。一方、パスワードが一致して認証された場合（Ｓ１０４：Ｙｅｓ）には、ユーザ情報管理テーブル１４４を参照して、認証されたユーザの管理者権限１４４ｅを取得し、認証されたユーザが管理者ユーザであるかどうかを判断する（Ｓ１０５）。
【００５４】
その結果、管理者ユーザではない場合（Ｓ１０５：Ｎｏ）は、一般ユーザとしてログインを許可する（Ｓ１１１）。図１１は、一般ユーザとしてログインした場合に操作パネル１６０に表示される一般ユーザログイン画面５４０の一例を示している。一般ユーザログイン画面５４０には、ログアウトボタン５４１、一般ユーザであることを示すアイコン５４２、プリンタボタン５４３、コピーボタン５４４、スキャナボタン５４５が配置されている。本例の一般ユーザは、管理者ユーザにより、プリンタ機能、コピー機能の使用が許可されており、スキャナ機能の使用は許可されていないものとする。このため、スキャナボタン５４５がグレイアウト表示され、選択できないようになっている。一般ユーザは、一般ユーザログイン画面５４０で使用する機能を選択し、処理を行なうことができる。処理終了後は、ログアウトボタン５４１を押下することで（Ｓ１１２：Ｙｅｓ）、ログアウトとなり、印刷装置１０は待機画面５１０の表示に戻る（Ｓ１０１）。
【００５５】
一方、管理者ユーザであった場合（Ｓ１０５：Ｙｅｓ）は、まず、管理者通常ログイン状態となる（Ｓ１０６）。管理者通常ログイン状態は、管理者設定に関する操作はできない状態であり、一般ユーザと同様に、プリンタ機能、コピー機能、スキャナ機能を使用可能な状態である。このため、通常の操作では不必要な管理者設定用の複雑なメニューが表示されてしまったり、印刷装置１０の設定を不用意に変更してしまったりすることを防ぐことができる。
【００５６】
図１２は、管理者通常ログイン状態で操作パネル１６０に表示される管理者通常ログイン画面５５０の一例を示している。管理者通常ログイン画面５５０には、ログアウトボタン５５１、管理者としてのログインでないことを示すために一般ユーザであることを示すアイコン５４２と同じ形状のアイコン５５２、プリンタボタン、コピーボタン、スキャナボタン、管理者ログインボタン５５３、管理者設定ボタン５５４が配置されている。管理者ユーザであっても、プリンタ・コピー・スキャナの通常の操作を行なう場合は管理者通常ログイン画面５５０で使用する機能を選択し処理を行なえば足りる。処理終了後は、ログアウトボタン５５１を押下することで（Ｓ１０７：Ｙｅｓ）、ログアウトとなり、印刷装置１０は待機画面５１０の表示に戻る（Ｓ１０１）。
【００５７】
管理者ログインボタン５５２は、管理者としてログインする場合に押下するボタンであり、管理者設定ボタン５３４は、管理者設定操作を行なうときに押下するボタンである。管理者ユーザであっても、管理者通常ログイン状態では、一般ユーザとしてのログインであり管理者設定操作はできないようになっているため、管理者設定ボタン５３４はグレイアウト表示され、押下できないようになっている。
【００５８】
管理者通常ログイン画面５５０で、管理者ログインボタン５５３が押下されると（Ｓ１０８：Ｙｅｓ）、管理者としてのログインである管理者管理ログイン状態となる（Ｓ１０９）。なお、よりセキュリティを高めるために、管理者ログインボタン５５３が押下されると、さらに管理者としてのパスワードの入力を求め、管理者としての認証を行なうようにしてもよい。この場合は、管理者用のパスワードを別途定めておき、ユーザ情報管理テーブル１４４に記録しておくようにする。
【００５９】
図１３は、管理者管理ログイン状態で操作パネル１６０に表示される管理者管理ログイン画面５６０の一例を示している。管理者管理ログイン画面５６０には、ログアウトボタン５６１、管理者としてのログインであることを示すために一般ユーザであることを示すアイコン５４２と異なる形状のアイコン５６２、プリンタボタン、コピーボタン、スキャナボタン、管理者ログインボタン５６３、管理者設定ボタン５６４が配置されている。管理者ログインボタン５６３は、強調表示され、管理者としてのログインであることが示されている。また、管理者設定操作を行える管理者としてのログインであるため管理者設定ボタン５６４が押下可能となっている。
【００６０】
管理者としてログインした管理者ユーザは、管理者設定ボタン５６４を押下することで、種々の管理者設定操作を行なうことができるようになる。また、ジョブ管理部１００にアクセスして、一般ユーザのジョブを表示させたり、削除したりすることができるようになる。管理者設定操作終了後は、ログアウトボタン５６１を押下することで（Ｓ１１０：Ｙｅｓ）、ログアウトとなり、印刷装置１０は待機画面５１０の表示に戻る（Ｓ１０１）。また、管理者ログインボタン５６３を再度押下することで管理者としてのログイン状態を解除し、管理者通常ログイン状態（Ｓ１０６）に戻れるようにしてもよい。
【００６１】
以上説明したように、本実施形態では、管理者ユーザのログイン状態を、管理者としてのログイン状態と、一般ユーザとしてのログイン状態とに区別し、ログインの初期状態では、管理者設定操作を行なうことができない一般ユーザとしてのログイン状態としている。このため、管理者ユーザが通常の処理に不必要なメニューまでが表示されてしまうことを防ぎ、また、管理者ユーザが不要に管理者設定操作を行なってしまうことを防ぐことができる。
＜管理者設定操作＞
次に、管理者ユーザが管理者管理ログイン状態で行なう管理者設定操作について説明する。図１３に示した管理者管理ログイン画面５６０で、管理者設定ボタン５６４が押下されると、印刷装置１０は操作パネル１６０に図１４に示すような管理者設定画面５７０を表示する。
【００６２】
管理者設定画面５７０には、ユーザ設定ボタン５７１、ログイン設定ボタン５７２、ログ管理ボタン５７３、ネットワーク設定ボタン５７４が配置されている。
【００６３】
管理者設定画面５７０のユーザ設定ボタン５７１は、管理者ユーザがユーザに関する設定を行なうためのボタンである。ユーザ設定ボタン５７１が押下されると、印刷装置１０は操作パネル１６０に図１５に示すようなユーザ設定画面５８０を表示する。ユーザ設定画面５８０には、ユーザ情報管理テーブル１４４に登録されたユーザ名の一覧５８１が選択可能な状態で表示されており、さらに、追加ボタン５８２、変更ボタン５８３、消去ボタン５８４が配置されている。管理者としてログインしている管理者ユーザは、例えば、ユーザの登録情報の変更を行なう場合には、ユーザ名の一覧５８１で対象ユーザを選択し、変更ボタン５８３を押下すればよい。
【００６４】
変更ボタン５８３が押下されると、印刷装置１０は操作パネル１６０に図１６に示すような変更画面５９０を表示する。変更画面５９０には、ユーザ情報管理テーブル１４４に記録されている選択されたユーザに係るユーザ情報が表示される。ユーザ情報には、例えば、機能毎の使用許可が含まれる。管理者としてログインしている管理者ユーザは、変更画面５９０で任意のユーザ情報を変更することができる。変更されたユーザ情報はユーザ情報管理テーブル１４４に反映される。
【００６５】
管理者設定画面５７０のログイン設定ボタン５７２は、プリンタ機能、コピー機能、スキャナ機能ごとに、使用するためにログイン処理が必要であるかどうかを設定するためのボタンである。ログイン設定ボタン５７２が押下されると、印刷装置１０は操作パネル１６０に図１７に示すようなログイン設定画面６００を表示する。ログイン設定画面６００では、プリンタ機能、コピー機能、スキャナ機能ごとにログインが必要かどうかを任意に設定できるようになっている。管理者としてログインしている管理者ユーザは、例えば、プリンタ機能について、ログインが不要で不特定のユーザが使用することを許可する場合には、「不要」を設定し、ユーザ認証を経なければ使用できないようにする場合には「必要」を設定すればよい。なお、ログインが不要とされている機能については、各ユーザに設定された機能毎の使用許可が禁止になっているユーザも使用することが可能となるが、管理者ユーザの利便性を高めるために、ログインが不要とされている機能については、ユーザ毎の使用許可の設定を自動的に不要としておくことが望ましい。
【００６６】
本実施形態では、プリンタ機能についてログインが必要と設定されている場合には、よりセキュリティを高めるために、ＰＣ２０から印刷データを送信後、ユーザは、印刷装置１０上でログイン処理を行ない、ユーザ認証されると実際の印刷が開始されるようにする。このとき、印刷装置１０でユーザ認証後に自動的に印刷が開始されるか、ユーザのボタン操作等によって印刷が開始されるかを選択可能としておくことができる。
＜スキャナモード動作＞
次に、印刷装置１０におけるスキャナモード動作について説明する。スキャナモードでは、図１８に示すようなスキャン指示画面６１０により、画像読取の指示を受け付けることができる。スキャン指示画面６１０では、読み取った画像の保存先を保存先メニュー６１１で指示することができ、初期状態では印刷装置１０に内蔵されたハードディスク装置が選択されている。また、スキャナモード動作で読み取られた画像データは、ＰＣ２０で取り扱うことが可能な形式のフォーマットに変換される。ユーザは、保存形式メニュー６１２で、どのようなフォーマットに変換するかを指定することができる。保存形式メニュー６１２では、例えば、ＰＤＦ形式、ＪＰＥＧ形式、ＧＩＦＦ形式が選択できるようになっている。これらのフォーマットはいずれもＰＣ２０において使用することができるＲＧＢ形式の汎用的な画像フォーマットである。
【００６７】
スキャナモードで画像読取を実行すると、読み取った画像データを保存形式メニュー６１２で指示されたフォーマットに変換し、保存先メニュー６１１で指示された保存先に保存する。保存された画像データは、ＰＣ２０に取り込んで編集等の作業を行なうことができる。
＜コピーモード動作＞
次に、印刷装置１０におけるコピーモード動作について説明する。印刷装置１０では、読み取った画像データをそのまま印刷する通常の複写処理に加えて、読み取った画像データをボックスに保存するボックス保存処理を行なうことができる。ボックス保存処理は、図１９に示すようなボックス保存指示画面６２０によって指示することができる。ボックス保存指示画面６２０では、保存先選択メニュー６２３で、画像データを保存するボックスを選択することができる。保存先選択メニュー６２３では、あらかじめ管理者ユーザによって登録された個人ボックスと、共有ボックスとが表示されるようになっている。なお、印刷装置１０の外部に外部記憶装置を接続し、外部記憶装置の所定の領域にも、画像データを保存できるようにしてもよい。
【００６８】
ユーザは、保存先選択メニュー６２３で保存先を選択して、「保存する」ボタン６２１を押下することで、指定したボックスに読み取った画像データを保存することができる。このとき、画像データは、印刷実行部１１０で印刷可能なＣＭＹＫ形式の印刷用フォーマットで保存される。
【００６９】
また、「保存してコピー」ボタン６２２を押下することで、読み取った画像データの複写印刷を実行するとともに、指定したボックスに画像データを保存することができる。このときも、画像データは、印刷実行部１１０で印刷可能なＣＭＹＫ形式の印刷用フォーマットで保存される。
＜スキャナモードが選択されたときの動作＞
次に、印刷装置１０において、スキャナモードが選択されたときの動作について、図２０のフローチャートを参照して説明する。図１２に示したモード選択画面５５０等において、ユーザによってスキャナモードが選択されると（Ｓ２０１）、本実施形態では、即座にスキャナモードに移行せずに、図２１に示すような確認画面６３０を操作パネル１６０に表示する（Ｓ２０２）。
【００７０】
確認画面６３０では、保存形式を「パソコンで使える形式」６３１か「本機でプリントできる形式（ボックスに保存）」６３３のいずれかを選択できるようになっている。そして、「パソコンで使える形式」６３１が選択された場合には、フォーマット選択ボタン６３２でフォーマットを指定することができる。
【００７１】
確認画面６３０で、「パソコンで使える形式」６３１が選択された場合（Ｓ２０３：Ｙｅｓ）は、ユーザの選択指示通りスキャナモードとしての動作を行ない、図１８に示したスキャン指示画面６１０に移行する（Ｓ２０４）。このとき、保存形式メニュー６１２には、フォーマット選択ボタン６３２で指定されたフォーマットが表示される。
【００７２】
そして、画像読取部１２０が読み取った画像データを、保存形式メニュー６１２で指示されたフォーマットに変換し、保存先メニュー６１１で指示された保存先に保存する。保存された画像データは、ＰＣ２０に取り込んで編集等の作業を行なうことができる。
【００７３】
一方、確認画面６３０で、「本機でプリントできる形式(ボックスに保存）」６３３が選択された場合（Ｓ２０３：Ｎｏ）は、モード選択画面５５０において、スキャナモードが指示されたにもかかわらず、コピーモードとして動作を行ない、図１９に示したボックス保存指示画面６２０に移行する（Ｓ２０５）。すなわち、印刷用フォーマットとしての保存は、本来コピーモードとして指示すべき処理であるにも関わらず、ユーザがスキャナモードを指示してしまった場合であっても、ユーザは適切な処理を行なうことができるようになる。
【００７４】
そして、ユーザは、ボックス保存指示画面６２０において、保存先選択メニュー６２３で保存先を選択して、「保存する」ボタン６２１を押下することで、指定したボックスに読み取った画像データを保存することができる。このとき、画像データは、印刷実行部１１０で印刷可能な印刷用フォーマットで保存される。
【００７５】
また、「保存してコピー」ボタン６２２を押下することで、読み取った画像データの複写印刷を実行するとともに、指定したボックスに画像データを保存することができる。このときも、画像データは、印刷実行部１１０で印刷可能な印刷用フォーマットで保存される。
【００７６】
なお、確認画面６３０は、ユーザの誤解によって、指定すべき動作モードとは異なる動作モードを指定した場合に、本来の動作モードに導くための画面である。このため、ユーザが指定すべき動作モードを理解している場合には不要となる。そこで、管理者ユーザの設定により、確認画面６３０を表示することなく、スキャナモードで動作させるようにすることが望ましい。この場合、印刷装置１０をスキャナモードとして動作させると、図１８に示すようなスキャン指示画面６１０が表示されることになる。ユーザは、ボックス保存指示画面６２０を表示させるためには、印刷装置１０をコピーモードとして動作させ、所定のメニュー操作を行なえばよい。
【００７７】
以上説明したように、本実施形態によれば、スキャナモードおよびコピーモードとして動作可能な印刷装置において、コピーモードで行なう読み取った画像データを保存する処理の操作性を向上させることができる。
【図面の簡単な説明】
【００７８】
【図１】本発明に係るネットワーク印刷システムの構成の一例を示す図である。
【図２】ネットワーク印刷システムにおける印刷装置とＰＣの機能構成を示すブロック図である。
【図３】印刷装置の設定管理部の主要な機能構成を示すブロック図である。
【図４】ユーザ情報管理テーブルの構成の一例を示す図である。
【図５】印刷装置のジョブ管理部の主要な機能構成を示すブロック図である。
【図６】ログ情報記録領域が記憶するログの構成を示す図である。
【図７】印刷装置におけるログイン処理について説明するフローチャートである。
【図８】操作パネルに表示される待機画面の一例を示す図である。
【図９】操作パネルに表示されるユーザ選択画面の一例を示す図である。
【図１０】操作パネルに表示されるパスワード入力画面の一例を示す図である。
【図１１】一般ユーザとしてログインした場合に操作パネルに表示される一般ユーザログイン画面の一例を示す図である。
【図１２】管理者通常ログイン状態で操作パネルに表示される管理者通常ログイン画面の一例を示す図である。
【図１３】管理者管理ログイン状態で操作パネルに表示される管理者管理ログインの一例を示す図である。
【図１４】操作パネルに表示される管理者設定画面の一例を示す図である。
【図１５】操作パネルに表示されるユーザ設定画面の一例を示す図である。
【図１６】操作パネルに表示される変更画面の一例を示す図である。
【図１７】操作パネルに表示されるログイン設定画面の一例を示す図である。
【図１８】操作パネルに表示されるスキャン指示画面の一例を示す図である。
【図１９】操作パネルに表示されるボックス保存指示画面の一例を示す図である。
【図２０】スキャナモードが選択された場合の処理を説明するフローチャートである。
【図２１】操作パネルに表示される確認画面の一例を示す図である。
【符号の説明】
【００７９】
１０…印刷装置、２０…ＰＣ、４０…ＩＣカード、７０…コンピュータネットワーク、１１０…印刷実行部、１２０…画像読取部、１２１…色変換処理部、１３０…画像処理部、１３１…フォーマット変換部、１４０…設定管理部、１４１…印刷装置設定管理部、１４２…設定テーブル、１４３…ユーザ情報管理部、１４４…ユーザ情報管理テーブル、１４５…使用履歴管理テーブル、１５０…ジョブ管理部、１５１…ジョブ受付部、１５２…ジョブ処理部、１５４…ログ情報管理部、１５５…プリンタモード処理部、１５６…コピーモード処理部、１５７…スキャナモード処理部、１６０…操作パネル、１７０…通信処理部、１８０…ＩＣカードリーダ、２１０…プリンタドライバ部、２２０…スキャナドライバ部、２３０…ブラウザ部、２４０…通信処理部、１５６１…ボックス保存部、１５７１…ＰＣ用データ保存部
【図１】
2010093457.tif 000003
【図２】
2010093457.tif 000004
【図３】
2010093457.tif 000005
【図４】
2010093457.tif 000006
【図５】
2010093457.tif 000007
【図６】
2010093457.tif 000008
【図７】
2010093457.tif 000009
【図８】
2010093457.tif 000010
【図９】
2010093457.tif 000011
【図１０】
2010093457.tif 000012
【図１１】
2010093457.tif 000013
【図１２】
2010093457.tif 000014
【図１３】
2010093457.tif 000015
【図１４】
2010093457.tif 000016
【図１５】
2010093457.tif 000017
【図１６】
2010093457.tif 000018
【図１７】
2010093457.tif 000019
【図１８】
2010093457.tif 000020
【図１９】
2010093457.tif 000021
【図２０】
2010093457.tif 000022
【図２１】
2010093457.tif 000023